(57)【要約】Ｚ字形状の留め具（１０）は、恒久的に固定表面（２６）に付着するためのアンカー層（３０）、拡張層（４０）、及び、選択的に取付対象面（２７）に付着するためのファスナー層（５０）を備える。第１ヒンジがアンカー層の端部（３１）を拡張層の端部（４１）に接続し、また、第２ヒンジが拡張層の端部（４２）をファスナー層の端部（５２）に接続する。破壊可能な一体のジョイント部（１３）は、アンカー層の他端部（３２）を拡張層の他端部（４２）につなぐ。展開前に、破壊可能なジョイント部（１３）は、層（３０，４０，５０）がほぼ平坦な外形に互いに折り重なることを促す。展開時に、ジョイント部（１３）は破壊され、層（３０，４０，５０）を扇状に分離させる。【選択図】図３
2010529887.tif 000002
【特許請求の範囲】
【請求項１】
第１端部（３１）と、第２端部（３２）と、これらの間にあって固定表面（２６）に恒久的に付着するための固定部（３３）とを備えるアンカー層（３０）と、
第１端部（４１）と、第２端部（４２）と、これらの間にある拡張部（４３）とを備える拡張層（４０）と、
第１端部（５１）と、第２端部（５２）と、これらの間にあって取付対象面（２７）に選択的に付着するためのファスニング部とを備えるファスナー層（５０）と、
前記アンカー層の前記第１端部（３１）を前記拡張層の前記第１端部（４１）に接続する第１ヒンジ（１１）と、
前記拡張層の前記第２端部（４２）を前記ファスナー層の前記第２端部（５２）に接続する第２ヒンジ（１２）と、
留め具の展開前には、２つの隣接する層の各部分をつなぐと共に、留め具の展開時には破壊される破壊可能な一体のジョイント部（１３，１４）と、を備えることを特徴とする留め具（１０）。
【請求項２】
前記破壊可能な一体のジョイント部（１３，１４）が、前記２つの隣接する層の端部をつなぐことを特徴とする請求項１に記載の留め具（１０）。
【請求項３】
前記破壊可能な一体のジョイント部（１３，１４）が、前記２つの隣接する層の１つにおいて、構成された弱い部分を備えることを特徴とする請求項１又は２に記載の留め具（１０）。
【請求項４】
１つの隣接する層（３０，４０）が折曲部を有し、破壊可能な一体のジョイント部（１３，１４）が当該折曲部に位置することを特徴とする請求項１から３のいずれか１項に記載の留め具（１０）。
【請求項５】
留め具展開の後に、１つの隣接する層（３０，４０）の破断部（３２，４１）が、他の隣接する層（４０，５０）に付着したままであることを特徴とする請求項１から４のいずれか１項に記載の留め具（１０）。
【請求項６】
前記破壊可能なジョイント部（１３）が、前記隣接する層（３０，４０）の１つにおいて、ミシン目を備えることを特徴とする請求項１から５のいずれか１項に記載の留め具（１０）。
【請求項７】
前記破壊可能なジョイント部（１３）が前記アンカー層（３０）と一体であることを特徴とする請求項１から６のいずれか１項に記載の留め具（１０）。
【請求項８】
前記アンカー層（３０）が、前記固定部（３３）と前記第２端部（３２）との間に、折曲部（３７）を備えることを特徴とする請求項１から７のいずれか１項に記載の留め具（１０）。
【請求項９】
前記破壊可能な一体のジョイント部（１３）が、前記固定部（３３）と前記第２端部（３２）との間の前記折曲部（３７）に位置することを特徴とする請求項８に記載の留め具（１０）。
【請求項１０】
前記アンカー層（３０）が、下地（３４）と、その片側に接着層（３５）とを備えることを特徴とする請求項１から９のいずれか１項に記載の留め具（１０）。
【請求項１１】
前記接着層（３５）が、前記固定部（３３）を前記固定表面（２６）に付着することを特徴とする請求項１０に記載の留め具（１０）。
【請求項１２】
前記接着層（３５）が、前記アンカー層の前記第２端部（３２）を、前記拡張層の前記第２端部（４２）に付着することを特徴とする請求項１０又は１１に記載の留め具（１０）。
【請求項１３】
前記接着層（３５）が連続的であり、及び／又は、パターン化されていないことを特徴とする請求項１０から１２のいずれか１項に記載の留め具（１０）。
【請求項１４】
前記接着層（３５）が、前記アンカー層の前記第１端部（３１）を前記拡張層の前記第１端部（４１）に付着することを特徴とする請求項１０から１３のいずれか１項に記載の留め具（１０）。
【請求項１５】
前記アンカー層（３０）が、前記第１端部（３１）と前記固定部（３３）との間に内向きの折曲部（３６）を含むことを特徴とする請求項１から１４のいずれか１項に記載の留め具（１０）。
【請求項１６】
分離片（６０）が、前記アンカー層の前記第１端部（３１）を前記拡張層の前記第１端部（４１）につなぐことを特徴とする請求項１から１４のいずれか１項に記載の留め具（１０）。
【請求項１７】
前記分離片（６０）が、前記アンカー層の第１端部（３１）に接続される一端部（６１）と、前記拡張層の第１端部（４１）に接続される他端部（６２）とを有することを特徴とする請求項１６に記載の留め具（１０）。
【請求項１８】
前記アンカー層の第１端部（３１）が、前記ファスナー層の第１端部（５１）と整列することを特徴とする請求項１から１７のいずれか１項に記載の留め具（１０）。
【請求項１９】
前記アンカー層の第１端部（３１）が、前記ファスナー層の前記第１端部（５１）から内側にずれていることを特徴とする請求項１から１７のいずれか１項に記載の留め具（１０）。
【請求項２０】
前記アンカー層の第１端部（３１）が、前記ファスナー層の前記第１端部（５１）から外側にずれていることを特徴とする請求項１から１７のいずれか１項に記載の留め具（１０）。
【請求項２１】
前記拡張層の前記第２端部（４２）が、前記拡張部（４３）から内向きに折れていることを特徴とする請求項１から２０のいずれか１項に記載の留め具（１０）。
【請求項２２】
前記拡張層の前記第１端部（４１）が、前記拡張部（４３）に対して折れていないことを特徴とする請求項１から２１のいずれか１項に記載の留め具（１０）。
【請求項２３】
前記拡張層の前記第１端部（４１）が、前記拡張部（４３）に対して折れていることを特徴とする請求項１から２１のいずれか１項に記載の留め具（１０）。
【請求項２４】
前記拡張層（４０）が、接着層を有さない下地（４４）を備えることを特徴とする請求項１から２３のいずれか１項に記載の留め具（１０）。
【請求項２５】
前記拡張層（４０）が、前記固定表面（２６）に付着するための、前記第１端部（４１）から延びる固定尾部（４８）をさらに備えることを特徴とする請求項１から２４のいずれか１項に記載の留め具（１０）。
【請求項２６】
接着層（４５）が、前記拡張層（４０）の前記固定尾部（４８）を前記固定表面（２６）に付着することを特徴とする請求項２５に記載の留め具（１０）。
【請求項２７】
前記接着層（４５）が、前記拡張層（４０）の前記固定尾部（４８）のみを占めることを特徴とする請求項２６に記載の留め具（１０）。
【請求項２８】
前記接着層（４５）が、前記固定尾部（４８）、及び、前記拡張層（４０）の他の部分（４１，４２，４３）を占めることを特徴とする請求項２６に記載の留め具（１０）。
【請求項２９】
前記拡張層（４０）が、下地（４４）と、前記下地の片側に接着層（４５）とを備えることを特徴とする請求項１から２８のいずれか１項に記載の留め具（１０）。
【請求項３０】
前記接着層（４５）が、前記拡張層（４０）の所定の部分のみを占めることを特徴とする請求項２９に記載の留め具（１０）。
【請求項３１】
前記接着層（４５）が、連続的であり、及び／又は、パターン化されておらず、マスキング片（４９）が、前記接着層（４５）の所定の領域を覆っていることを特徴とする請求項３０に記載の留め具（１０）。
【請求項３２】
前記拡張層（４０）が、非弾性下地（４４）を有することを特徴とする請求項２１から３１のいずれか１項に記載の留め具（１０）。
【請求項３３】
前記拡張層（４０）が、弾性下地（４４）を有することを特徴とする請求項２１から３１のいずれか１項に記載の留め具（１０）。
【請求項３４】
前記下地（４４）が、その長手方向にわたって弾性的であることを特徴とする請求項３３に記載の留め具（１０）。
【請求項３５】
前記下地（４４）が、弾性領域及び非弾性領域を有することを特徴とする請求項３３に記載の留め具（１０）。
【請求項３６】
前記ファスナー層（５０）が、下地（５４）と、前記下地（５４）の前記アンカー層に近い側に接着層（５５）とを備えることを特徴とする請求項１から３５のいずれか１項に記載の留め具（１０）。
【請求項３７】
前記接着層（５５）が連続的であり、及び／又は、パターン化されていないことを特徴とする請求項３６に記載の留め具（１０）。
【請求項３８】
前記ファスナー層（５０）の前記第１端部（５１）に付着したフィンガーリフト（５６）をさらに備えることを特徴とする請求項１から３７のいずれか１項に記載の留め具（１０）。
【請求項３９】
前記ファスナー層（５０）が非弾性下地（５４）を有することを特徴とする請求項３６から３８のいずれか１項に記載の留め具（１０）。
【請求項４０】
前記ファスナー層（５０）が弾性下地（５４）を有することを特徴とする請求項３６から３８のいずれか１項に記載の留め具（１０）。
【請求項４１】
前記下地（５４）が、その長手方向にわたって弾性的であることを特徴とする請求項４０に記載の留め具（１０）。
【請求項４２】
前記下地（５４）が、弾性領域及び非弾性領域を有することを特徴とする請求項４０に記載の留め具（１０）。
【請求項４３】
前記アンカー層（３０）、前記拡張層（４０）及び前記ファスナー層（５０）が３つの分離したテープから形成されていることを特徴とする請求項１から４２のいずれか１項に記載の留め具（１０）。
【請求項４４】
前記アンカー層（３０）及び前記拡張層（４０）が１つのテープから形成されていることを特徴とする請求項１から４２のいずれか１項に記載の留め具（１０）。
【請求項４５】
前記拡張層（４０）及び前記ファスナー層（５０）が１つのテープから形成されていることを特徴とする請求項１から４２のいずれか１項に記載の留め具（１０）。
【請求項４６】
前記アンカー層（３０）、前記拡張層（４０）及び前記ファスナー層（５０）が１つのテープから形成されていることを特徴とする請求項１から４２のいずれか１項に記載の留め具（１０）。
【請求項４７】
前記１つのテープが、下地（３４，４４，５４）と、前記下地（３４，４４，５４）の片側に接着層（３５，４５，５５）とを備えることを特徴とする請求項４４から４６のいずれか１項に記載の留め具（１０）。
【請求項４８】
前記接着層（３５，４５，５５）が、前記下地（３４，４４，５４）の片側の所定の領域のみを占めることを特徴とする請求項４７に記載の留め具（１０）。
【請求項４９】
前記接着層（３５，４５，５５）が、前記下地（３４，４４，５４）の片側のほぼ全てを占めることを特徴とする請求項４７に記載の留め具（１０）。
【請求項５０】
前記接着層（３５，４５，５５）の所定の領域を覆うマスキング片（４９）をさらに備えることを特徴とする請求項４９に記載の留め具（１０）。
【請求項５１】
前記拡張層（４０）と前記ファスナー層（５０）との間に位置するターゲットテープ（７０）をさらに備えることを特徴とする請求項１から５０のいずれか１項に記載の留め具（１０）。
【請求項５２】
前記ターゲットテープ（７０）が、前記ファスナー層（５０）に除去可能に付着し、留め具展開の間、それとともに運ばれることを特徴とする請求項５１に記載の留め具（１０）。
【請求項５３】
前記ファスナー層（５０）の前記アンカー層に近い側に付着したフックパッチ（５７）をさらに備えることを特徴とする請求項１から５０のいずれか１項に記載の留め具（１０）。
【請求項５４】
前記フックパッチ（５７）が、前記ファスナー層（５０）の前記アンカー層に近い側の接着層（５５）によって付着されていることを特徴とする請求項５３に記載の留め具（１０）。
【請求項５５】
前記フックパッチ（５７）が、前記ファスナー層（５０）の前記ファスニング部（５３）の少なくとも一部を占めることを特徴とする請求項５３又は５４に記載の留め具（１０）。
【請求項５６】
前記フックパッチ（５７）が、前記ファスナー層（５０）の前記第１端部（５１）を占めることを特徴とする請求項５３に記載の留め具（１０）。
【請求項５７】
前記フックパッチ（５７）が、前記ファスナー層（５０）の前記ファスニング部（５３）全体を占めないことを特徴とする請求項５３又は５４に記載の留め具（１０）。
【請求項５８】
接着層（５５）が、前記フックパッチ（５７）によって占められていない前記ファスナー層（５０）の領域において、むき出しでないことを特徴とする請求項５７に記載の留め具（１０）。
【請求項５９】
接着層（５５）が、前記フックパッチ（５７）によって占められていない前記ファスナー層の領域において、むき出しであることを特徴とする請求項５７に記載の留め具（１０）。
【請求項６０】
前記ファスナー層（５０）のむき出しの接着領域が被覆されないままであることを特徴とする請求項５９に記載の留め具（１０）。
【請求項６１】
前記ファスナー層（５０）の前記むき出しの接着領域を少なくとも部分的に覆うマスキング片（５９）を備えることを特徴とする請求項５９に記載の留め具（１０）。
【請求項６２】
前記マスキング片（５９）が、前記ファスナー層（５０）の前記むき出しの接着領域を完全に覆うことを特徴とする請求項６１に記載の留め具（１０）。
【請求項６３】
前記フックパッチ（５７）が、前記ファスナー層（５０）の前記ファスニング部（５３）全体を占めることを特徴とする請求項５５に記載の留め具（１０）。
【請求項６４】
前記又は別の破壊可能なジョイント部（１４）が前記拡張層（４０）と一体であることを特徴とする請求項１から６３のいずれか１項に記載の留め具（１０）。
【請求項６５】
前記拡張層（４０）が、前記拡張部（４３）と前記第２端部（４２）との間に、折曲部（４７）を備えることを特徴とする請求項１から６４のいずれか１項に記載の留め具（１０）。
【請求項６６】
前記破壊可能な一体のジョイント部（１４）が、前記拡張部（４３）と前記第２端部（４２）との間の前記折曲部（４７）に位置することを特徴とする請求項６５に記載の留め具（１０）。
【請求項６７】
前記破壊可能な一体のジョイント部（１４）が、留め具の展開前に、前記拡張層（４０）を前記ファスナー層（５０）につなぐことを特徴とする請求項６４から６６のいずれか１項に記載の留め具（１０）。
【請求項６８】
本体部（２１）と、少なくとも１つの請求項１から６７のいずれか一項に記載の留め具（１０）とを備えるおむつ（２０）であって、
前記本体部（２１）が、固定表面（２６）及び取付対象面（２７）を備え、
前記アンカー層（３０）の前記固定部（３３）が、前記固定表面（２６）に付着することを特徴とするおむつ（２０）。
【請求項６９】
前記固定表面（２６）が前記本体部（２１）の後背部（２３）にあることを特徴とする請求項６８に記載のおむつ（２０）。
【請求項７０】
請求項６９に記載のおむつ（２０）を処理する方法であって、
前記留め具（１０）を展開し、それによって、前記破壊可能な一体のジョイント部（１３，１４）を破壊するステップと、
前記本体部（２１）を処分時の形態へ組み立てるステップと、
前記ファスナー層（５０）の前記ファスニング部（５３）を前記本体部（２１）の前記取付対象面（２７）に付着するステップと、を含むことを特徴とする方法。
【請求項７１】
本体部（２１）と、請求項１から６７のいずれか１項に記載の留め具２つとを備えるおむつ（２０）であって、
前記本体部（２１）が２つの固定表面（２６）及び２つの取付対象面（２７）を備え、各留め具（１０）の前記アンカー層（３０）の前記固定部（３３）が前記固定表面（２６）にそれぞれ付着していることを特徴とするおむつ（２０）。
【請求項７２】
前記固定表面（２６）が、前記本体部（２１）の後背部（２３）の縁部（２５）上に、又は、縁部（２５）の近くにあることを特徴とする請求項７１に記載のおむつ（２０）。
【請求項７３】
前記取付対象面（２７）が、前記本体部（２１）の前面部（２２）上にあることを特徴とする請求項７１又は７２に記載のおむつ（２０）。
【請求項７４】
請求項７１に記載のおむつ（２０）を着用者に着用させる方法であって、
前記本体部（２１）を前記着用者の体の周囲に位置させるステップと、
前記留め具（１０）のそれぞれを展開し、それによって、前記破壊可能な一体のジョイント部（１３，１４）を破壊するステップと、
前記ファスナー層（５０）の前記ファスニング部（５３）を前記おむつ（２０）の前記取付対象面（２７）に付着させるステップと、を含むことを特徴とする方法。
【請求項７５】
前記付着するステップは、前記ファスニング部（５３）を前記取付対象面（２７）に直接付着させることを特徴とする請求項７４に記載の方法。
【請求項７６】
ターゲットテープ（７０）を前記取付対象面（２７）に付着させるステップを含み、前記ファスナー層（５０）は前記ターゲットテープ（７０）に着脱可能に付着していることを特徴とする請求項７４に記載の方法。
【発明の詳細な説明】
【技術分野】
【０００１】
本願発明は、留め具に関する。特に、扇状に展開するためにヒンジで接続された、アンカー層（固定レベル）、拡張層（拡張レベル）、ファスナー層（取付レベル）を有する留め具に関する。
【背景技術】
【０００２】
留め具は、恒久的に固定表面に付着するためのアンカー層と、取付対象面への選択的取り付けるためのファスナー層と、それらの間の拡張層とを備えうる。第１ヒンジは、アンカー層の第１端部を拡張層の第１端部に接続し、第２ヒンジは、拡張層の第２端をファスナー層の第２端に接続する。留め具の展開前に、通常好ましくは、留め具は、各層がコンパクトに互いに重ね合わさった平坦な形状を有する。留め具を展開するためにファスナー層が拡張層から離れるように回動（又は、旋回）し、また、各層を扇状に分離するために拡張層がアンカー層から離れるように回動する。留め具は例えば着用調整用及び／又は使い捨て用としておむつ製品に使用可能である。
【発明の概要】
【課題を解決するための手段】
【０００３】
留め具を好ましい平坦な形状に保持または維持するように、留め具は、留め具の展開前に２つの隣接する層の各部分をつなぐ破壊可能なジョイント部を有する。破壊可能なジョイント部は一体のジョイント部であり、即ち、１つの層と一体の部分であり、留め具製造時に、別の構成要素（例えば、接着ビーズ、溶接部、縫い目など）の導入を要求しない。特に、例えば破壊可能なジョイント部は、相対的な基準において弱く（例えば、ミシン目で）構成されうる。留め具展開時に破壊可能なジョイント部が破け、ファスナー層が拡張層に対して回動し、拡張層がアンカー層に対して回動する。
【図面の簡単な説明】
【０００４】
【図１】１対の留め具を含むおむつの斜視図。
【図２】１つの留め具を含むおむつの斜視図。
【図３】展開状態の前の留め具の概略側面図。
【図３Ａ】図３の留め具の展開過程の略図。
【図３Ｂ】図３の留め具の展開過程の略図。
【図３Ｃ】図３の留め具の展開過程の略図。
【図３Ｄ】図３の留め具の展開過程の略図。
【図４】ターゲットテープをさらに含む留め具の概略側面図。
【図４Ａ】図４の留め具の展開過程の略図。
【図４Ｂ】図４の留め具の展開過程の略図。
【図４Ｃ】図４の留め具の展開過程の略図。
【図４Ｄ】図４の留め具の展開過程の略図。
【図５】改良された留め具の概略側面図。
【図６】改良された留め具の概略側面図。
【図７】改良された留め具の概略側面図。
【図８】改良された留め具の概略側面図。
【図９】改良された留め具の概略側面図。
【図１０】改良された留め具の概略側面図。
【図１１】改良された留め具の概略側面図。
【図１２】改良された留め具の概略側面図。
【図１３】改良された留め具の概略側面図。
【図１４】改良された留め具の概略側面図。
【図１５】改良された留め具の概略側面図。
【図１６】改良された留め具の概略側面図。
【図１７】改良された留め具の概略側面図。
【図１８】改良された留め具の概略側面図。
【図１９】改良された留め具の概略側面図。
【図２０】改良された留め具の概略側面図。
【図２１】改良された留め具の概略側面図。
【図２２】改良された留め具の概略側面図。
【図２３】改良された留め具の概略側面図。
【図２４】改良された留め具の概略側面図。
【図２５】改良された留め具の概略側面図。
【図２６】改良された留め具の概略側面図。
【図２７】改良された留め具の概略側面図。
【図２８】改良された留め具の概略側面図。
【図２９】改良された留め具の概略側面図。
【図３０】改良された留め具の概略側面図。
【図３１】改良された留め具の概略側面図。
【図３２Ａ】留め具の拡張層のための有用な構造の概略側面図。
【図３２Ｂ】留め具の拡張層のための有用な構造の概略側面図。
【図３２Ｃ】留め具の拡張層のための有用な構造の概略側面図。
【図３３Ａ】留め具のファスナー層のための有用な構造の概略側面図。
【図３３Ｂ】留め具のファスナー層のための有用な構造の概略側面図。
【図３３Ｃ】留め具のファスナー層のための有用な構造の概略側面図。
【発明を実施するための形態】
【０００５】
最初に図１及び２において、おむつ２０に取り付けられた留め具１０が表される。おむつ２０は、前面部２２、後背部２２及びそれらの間に股当て部２４を有する本体部２１を備える。図１において、おむつ本体部２１が着用者に合うように、後背部２３の縁部２５を前面部２２に固定するのに一対の留め具１０が用いられる。この目的を達するために、各留め具１０が、（後背部２３及び／又はその縁部２５上の）固定表面２６に固定されて、選択的に（前面部２２上の）取付対象面２７に留められる。図２において、おむつ２０は、パンツ状の構造を有し、留め具１０は、本体後背部２３上の固定表面２６に固定される。処分時の形態にて汚れたおむつ本体部２１を固定するように、留め具１０は展開され、選択的に、取付対象面（番号で特定せず）に留められる。
【０００６】
図３に、展開前の状態の留め具１０を表す。説明を容易にするために、この図及び他の図において、層（レベル／レイヤー）の厚さは非常に誇張されている。これらの層（レベル／レイヤー）の厚さは、通常は、例えば、約２．５マイクロメートルから約１００マイクロメートル又はそれ以上の範囲にある。もしこれらの厚さが例示した長さのスケールで描かれた場合は、層（レベル／レイヤー）の解釈及び／又は番号を付けることは難しい。そして、図面が、隣り合う層（レベル／レイヤー）が隙間によって分離され、互いに接触していないという印象を与えるであろうが、それらは互いに対してほぼ同一平面上に位置するだろう。
【０００７】
留め具１０は、アンカー層３０、拡張層４０及びファスナー層５０を備える。ファスナー層３０は第１端部３１、第２端部３２、及び、これらの間にあって固定表面２６に恒久的に付着するための固定部３３を備える。拡張層４０は、第１端部４１、第２端部４２、及び、これらの間の拡張部４３を備える。ファスナー層５０は、第１端部５１、第２端部５２、及び、それらの間に、取付対象面２７に選択的に付着するためのファスニング部５３を備える。図示された方向において、第１端部３１，４１，５１は左部分であり、第２端部３２，４２，５２は右部分である。
【０００８】
アンカー層３０は下地３４と接着層３５とを備え、拡張層４０は下地４４を備え（接着層は有さない）、そして、ファスナー層５０は下地５４と接着層５５とを備える。
【０００９】
アンカー層３０は、左部分３１とその固定部３３との間に位置する折曲部３６、及び、右部分３２とその固定部３３との間に位置する折曲部３７を有する。折曲部３６及び折曲部３７はそれぞれ内向き及び上向きの折曲部である。この折れ形状によって、結果として、接着層３５が固定部３３において表面２６に面し、端部３１，３２において拡張層の端部４１，４２に面する。接着層３５は層３０をおむつ表面２６に固定し、アンカー層の左部分３１を拡張層の左部分４１に接続し、また、アンカー層の右部分３２を拡張層４０に接続する。
【００１０】
拡張層４０において、左部分４１は折られず、平坦な状態で（接着層３５によって）アンカー層の左部分３１に接続される。拡張層４０は、その右部分４２とその拡張部４３との間に、内向き及び上向きの折曲部４７を有する。折曲部４７は、アンカー層の右部分３２（及び接着層３５）に対して、拡張部４３の最も右側の領域に位置し、そして、それをそこに固定する。また、折曲部４７は、ファスナー層５０の右部分５２に隣接するように、右部分４２に位置する。
【００１１】
ファスナー層５０は、端部５１，５２の両方で折れておらず、接着層５５が下向きに拡張層４０に対面している。接着層５５はファスナー層の右部分５２を拡張層４０の折れた右部分４２に接続する。ファスナー層５０は、左部分５１上に位置するフィンガーリフト（指で持ち上げる部分）５６を有することができる。この実施形態において、フィンガーリフト５６は、接着層５５により下地５４に接続された材料の分離片である。あるいは、フィンガーリフト５６を、ファスナー層５０の末端部上に折る（この場合は、その端部５１で折られる）ことによって形成される２重の下地層とすることも可能である。フィンガーリフト５６の別の選択肢は、単純に非接着領域とすることである。
【００１２】
左部分３１，４１間の折れた接続部は、アンカー層３０を拡張層４０へと接続するヒンジ１１を形成する。右部分４２，５２間の折れた接続部は、拡張層４０をファスナー層５０に接続するヒンジ１２を形成する。展開前の状態において、層３０、４０及び５０は、コンパクトに互いに重ね合わさり、留め具１０は略平坦な形状を有する（図３及び図３Ａ）。留め具１０を展開するために、ファスナー層５０は、例えばフィンガーリフト５６を上方及び右方に引っ張ることによって、拡張層４０から離れるように回動する（図３Ｂ）。拡張層４０は、例えばファスナー層３０を左に引っ張ることによって、扇状に層３０，４０，５０を分離するように、アンカー層３０から離れて回動する（図３Ｃ）。ファスナー層３０が左に移動し続けると、層３０，４０，５０は端から端まで一直線になり、そして、接着層３５によってファスナー層３０は取付対象面２７に付着可能となる（図３Ｄ）。
【００１３】
アンカー層の右部分３２及び拡張層４０との間の折れた接続部は、破壊可能なジョイント部１３を含む。展開の間、拡張層４０が、アンカー層３０から離れるように引っ張られて、このジョイント部１３は層間を切断するように破壊される（図３Ｂ及び図３Ｃを参照）。この実施形態において、アンカー層の右部分３２は拡張層４０とともに残る「分離部分」である。
【００１４】
破壊可能なジョイント部１３は、展開前に早まって、アンカー層３０から離れるように拡張層４０が回動する危険性を減少させる。破壊可能なジョイント部１３は、全体と一体にすることができ、それ自体が関係する層と一体のジョイント部とすることができる。例えば、破壊可能なジョイント部１３は、アンカー層３０及び／又はその下地３４において、一連のミシン目のように弱く構成されうる。このような一体のジョイント部１３は、留め具製造時に、別の構成要素（例えば接着ビーズ、溶接、縫い目など）を導入することを要求しない。
【００１５】
ファスナー層３０が取付対象面２７に直接取付可能であるか、あるいは、留め具１０はターゲットテープ７０を含んでいる（図４）。（第１端部７１、第２端部７２及びターゲット部７３を有する）ターゲットテープ７０は、下地７４と、拡張層４０に面する下地７４の下側に接着層７５とを備える。テープ７０は拡張層４０とファスナー層５０との間に位置しうる。フィンガーリフト７６を含む左部分７１は、ファスナー層５０の左部を越えて延在しうる。テープの右部分７２は、拡張層の右側にある折曲部４７の内側に位置しうる。
【００１６】
ターゲットテープ７０はファスナー層５０に着脱可能に付着し、留め具展開の時にそれとともに運ばれる（図４Ａから４Ｄ）。フィンガーリフト５６を引っ張るかわりに、層４０から層５０を分離し、層３０から層４０を分離するためにターゲットテープのフィンガーリフト７６を引っ張ることができる。完全な展開時に、ターゲットテープ７０は、その上に位置するファスナー層５０とともに、取付対象面２７に付着する（図４Ｄ）。留め具１０を開くために（例えば、おむつ２０を視認するために）、ファスナー層５０は、表面２７に付着したままのターゲットテープ７０から離れるように回動する（図４Ｅ）。
【００１７】
アンカー層の左部分３１はファスナー層の左部分５１とほぼ整列し、及び／又は、アンカー層の右部分３２はアンカー層の右部分５２とほぼ整列する（図３）。あるいは、アンカー層の左部分３１を、内側又は外側のいずれかにファスナー層の左部分５１からずれすことができる（図５及び６）。アンカー層の右部分３２を、ファスニング部の右部分５２から内側にずらすことができる（図５から７）。整列した端部の配置は、フィンガーリフトであるとの誤解を与えることを減少させるが、ずれた端部の配置は最大層厚を減少させる。
【００１８】
アンカー層の折れた端部３１によって形成されている左側のヒンジ１１にかえて、分離片６０を用いることができる（図８及び９）。図示の分離片６０は、端部６１及び６２と、Ｃ字形状又はＵ字形状を完成させる部分６３とを備える。端部６１は、アンカー層の左部分３１に接続され、端部６２は拡張層の左部分４１に接続される。分離片６０は、下地６４、及び、下地の外側（図８）又は下地の内側（図９）のいずれかの上に接着層６５を備える。
【００１９】
また、アンカー層の左の折れた端部３１を、その左部分３１とその拡張部４３との間の拡張層４０において折曲部４６に置き換えることも可能である（図１０及び１１）。折曲部４６は、下向き及び内向きであり、この目的のために特別に与えられた接着層４５によって、アンカー層の端部３１の上側下地面に付着しうる（図１０）。あるいは、折曲部４６は、アンカー層の端部３１の下側接着面に付着しうるが、これは、誤ってフィンガーリフトであるという錯覚を与えるかもしれない（図１１）。
【００２０】
層３０，４０，５０は、３つの分離したテープから作ることができる。あるいは、拡張層４０及びファスナー層５０は１つのテープから作成可能である（図１２及び１３）。あるいは、アンカー層３０及び拡張層４０は１つのテープ（図１４及び１５）から作成可能である。あるいは、全ての３つの層３０，４０，５０は１つのテープから作成可能である（図１６及び１７）。多層テープは、パターン化接着層３５，５５（図１２、１４及び１６）を有することができ、又は、拡張層４０においてマスキング片４９によって覆われた連続的な接着層３５，４５，５５を有することができる（図１３、１５、１７）。
【００２１】
拡張層４０は、さらに、その左部分４１から延びる（尾を引く）固定尾部４８と、尾部４８を固定表面２６に付着するための接着層４５とを備えることができる（図１８及び１９）。接着層４５は拡張層４０の尾部のみを占めることができ（図１８）、又は、それは同様に他の部分を占めることもできる（図１９）。
【００２２】
ファスナー層５０は、その接着層５５によって取付対象面２７に付着可能である。付加的に又は代替的に、ファスナー層５０はフック部材を有するパッチ（継ぎ片）５７を備えることができ、取付対象面２７はその相補部材を備えることができる（図２０から２９）。フックパッチ５７は、接着層５５によって下地５４に付着させることができ、及び／又は、ファスナー層５０の左部分５３の少なくとも一部を占めうる。パッチ５７は、フィンガーリフト５６と併せて使用可能であり（図２０から２４）、又は、ファスナー層５０の左部分５１をそれ自身で占めることも可能である（図２５から２９）。ファスナー層５０は、ファスニング部５３におけるフックがない部分において、むき出しの接着部分（図２０，２３，２５及び２８）、覆われた接着部分（図２２，２３，２７及び２８）、又は、非接着部分（図２１及び２６）を有しうる。フックパッチ５７は、フィンガーリフト５６とともに（図２４）、又は、フィンガーリフト５６なしに（図２９）、ファスニング部５３の全体を占めうる。
【００２３】
留め具１０は、付加的に又は代替的に、その拡張層４０とそのファスナー層５０との間に破壊可能な一体のジョイント部１４を備えうる（図３０及び３１）。
【００２４】
下地３４，４４，５４，６４，７４は、布、クラフト紙、セロファンフィルム、不織布、高分子フィルム（例えば、ポリプロピレン、塩化ポリビニル、ポリエチレン、テレフタル酸ポリエチレン、及び、ポリエチレン）又は他の適当な材料もしくは薄層から製造可能である。おむつ２０に組み込むために、留め具１０を組み立て、保管、及び／又は、提供する間に、くっつくことを防ぐ必要があるようなときは、下地の非接着側は、剥離コーティング（例えばシリコンコーティング、カルバミン酸によるコーティングなど）を含みうる。
【００２５】
固定下地３４、拡張下地４４、及びファスナー下地５４は、非伸縮性及び／又は伸縮特性を有する。固定下地３４はしばしば、その固定する目的の観点から非伸縮性である。拡張下地４４は及びファスナー下地５４は、非伸縮性にすることができ、多くの場合、これが好ましい。しかし、伸縮性の拡張層４０は、締め具の定められた展開サイズを大幅に増やすことなく、追加の展開長さを提供することを可能にする。そのために、拡張下地４４は、完全に伸縮性材料とすることができ（図３２Ａ）、又は、伸縮部分あるいは伸縮領域を有しうる（図３２Ｂ及び３２Ｃ）。ファスナー下地５４も同様の伸縮構造を有しうる（図３３Ａから３３Ｃ）。伸縮下地部分若しくは領域は、ＳＢＬ材料、ＮＢＬ材料、エラストマーフィルム、エラストマーフォーム材料などのような伸縮材料を含みうる。
【００２６】
接着層３５，４５，５５，６５，７５は、感圧接着剤及び非感圧接着剤を含む従来の接着剤を含みうる。適当な感圧接着剤は、アクリル樹脂系及び天然又は合成ゴム系接着剤を含む。多くの場合、層３０，４０，５０は、連続的な接着層で構成される。本明細書における「連続的な」という表現は、締め具タブ１０における部分又は区域の機能に従って、下地テープ片又はテープの所定の部分又は区域に接着剤が限定的に使用されていないことをいう。従って、連続的な層は、例えば、接着剤の途切れないコーティング、又は、パターンがその適用区域に左右されない規則的なもしくは不規則なコーティングパターンになりうる。よって、パターンコーティングされた接着層は、特定の状況においては好ましい。
【００２７】
フィンガーリフト５６及び７６、並びに、マスキング片４９及び５９は、任意の適当な材料から作成可能である。例えば、それらは、布、クラフト紙、セロファンフィルム、不織布、高分子フィルム（例えば、ポリプロピレン、塩化ポリビニル、ポリエチレン、テレフタル酸ポリエチレン、及び、ポリエチレン）及び／又は、それらの組合せから作成可能である。
【００２８】
フックパッチ５７は、フック製造工程に適しており、及び、フック保持機能を有する、任意の材料からなる基部を備えうる。実際のフックは、プラスチック、金属、他の材料から作成可能であり、例えば、成形又はスタンピング加工によって形成される。フックは、例えば、Ｊ字形状、マッシュルーム形状、矢形状、棘のある形状、球根形状のような様々な「フック」形状をとることができる。
【００２９】
留め具１０は吸収性物品とともに説明されており、おむつへの使用によく適している。しかし、留め具１０を他のものに適用することも可能である。例えば、留め具１０は、包装、安全服、ビジネス用品、並びに、様々な他の使い捨て及び非使い捨ての製品に使用可能である。
【図１】
2010529887.tif 000003
【図２】
2010529887.tif 000004
【図３】
2010529887.tif 000005
【図３Ａ】
2010529887.tif 000006
【図３Ｂ】
2010529887.tif 000007
【図３Ｃ】
2010529887.tif 000008
【図３Ｄ】
2010529887.tif 000009
【図４】
2010529887.tif 000010
【図４Ａ】
2010529887.tif 000011
【図４Ｂ】
2010529887.tif 000012
【図４Ｃ】
2010529887.tif 000013
【図４Ｄ】
2010529887.tif 000014
【図４Ｅ】
2010529887.tif 000015
【図５】
2010529887.tif 000016
【図６】
2010529887.tif 000017
【図７】
2010529887.tif 000018
【図８】
2010529887.tif 000019
【図９】
2010529887.tif 000020
【図１０】
2010529887.tif 000021
【図１１】
2010529887.tif 000022
【図１２】
2010529887.tif 000023
【図１３】
2010529887.tif 000024
【図１４】
2010529887.tif 000025
【図１５】
2010529887.tif 000026
【図１６】
2010529887.tif 000027
【図１７】
2010529887.tif 000028
【図１８】
2010529887.tif 000029
【図１９】
2010529887.tif 000030
【図２０】
2010529887.tif 000031
【図２１】
2010529887.tif 000032
【図２２】
2010529887.tif 000033
【図２３】
2010529887.tif 000034
【図２４】
2010529887.tif 000035
【図２５】
2010529887.tif 000036
【図２６】
2010529887.tif 000037
【図２７】
2010529887.tif 000038
【図２８】
2010529887.tif 000039
【図２９】
2010529887.tif 000040
【図３０】
2010529887.tif 000041
【図３１】
2010529887.tif 000042
【図３２Ａ】
2010529887.tif 000043
【図３２Ｂ】
2010529887.tif 000044
【図３２Ｃ】
2010529887.tif 000045
【図３３Ａ】
2010529887.tif 000046
【図３３Ｂ】
2010529887.tif 000047
【図３３Ｃ】
2010529887.tif 000048
【国際調査報告】
2010529887.tif 000049
2010529887.tif 000050
2010529887.tif 000051
2010529887.tif 000052